(57)【要約】      （修正有）【課題】背負った荷物が重量物であっても安全に支持することのできる背荷物受け付き椅子を得る。【解決手段】左右に離間する一対のサイドフレーム２の上下中間部に座１０を設けるとともに、座１０は臀部を受ける臀座１１と臀座１１から後方に延出して背荷物を受ける荷受け座１２とを有し、サイドフレーム２の上部に背もたれ１５を設けるとともに、背もたれ１５は荷受け座１２の外郭に略対応する如く後方に湾曲させ、湾曲部１７により荷受け座１２の上方に空間（ア）を設ける。【選択図】図１
2007111340.tif 000002
【特許請求の範囲】
【請求項１】
左右に離間する一対のサイドフレーム（２）の上下中間部に座（１０）を設けるとともに、該座（１０）は臀部を受ける臀座（１１）と該臀座（１１）から後方に延出して背荷物を受ける荷受け座（１２）とを有し、前記サイドフレーム（２）の上部に背もたれ（１５）を設けるとともに、該背もたれ（１５）は前記荷受け座（１２）の外郭に略対応する如く後方に湾曲させ、該湾曲部（１７）により前記荷受け座（１２）の上方に空間（ア）を設けたことを特徴とする背荷物受け付き椅子。
【請求項２】
座（１０）は、細長い資材を格子状又は井桁状に組んで形成したことを特徴とする請求項１記載の背荷物受け付き椅子。
【請求項３】
背もたれ（１５）の外側にフック（１８）を設けたことを特徴とする請求項１又は２記載の背荷物受け付き椅子。
【発明の詳細な説明】
【技術分野】
【０００１】
本発明は、スキューバダイビング用機材、あるいは農作業用噴霧器等を背負った状態で腰掛けることができる背荷物受け付き椅子に関するものである。
【背景技術】
【０００２】
従来の椅子として、特許文献１があった。即ち、支持脚に支持される座部に一対の並行な支持軸を後方に向けて取り付け、該支持軸にスライド管を前後摺動可能に嵌合させ、該スライド管に背板が取り付けられた背杆を連結し、前記スライド管を介して背板及び背杆、即ち、背もたれを前後に移動調節できるようにしたものがあった。
【０００３】
前記特許文献１は、背もたれを座る人の成長、あるいは体格に対応させて前後に調節することができる。しかしながら、支持軸に嵌合させたスライド管を前後方向に摺動させるようにしていたので、後方に大きく移動させると支持軸との嵌合量が少なくなって背もたれの支持強度が低下することになる。このため、背負った荷物が重量物である場合は、スライド杆が損傷したり、あるいは背もたれが不用意に後方に移動したりして安全性に乏しいものであった。
【特許文献１】特開２００３−３３２５１号公報
【発明の開示】
【発明が解決しようとする課題】
【０００４】
本発明は、背負った荷物が重量物であっても安全に支持することができる新規な背荷物受け付き椅子を得ることを目的とする。
【課題を解決するための手段】
【０００５】
本発明は、上記目的を達成するために以下の如く構成したものである。即ち、請求項１に係る発明は、左右に離間する一対のサイドフレームの上下中間部に座を設けるとともに、該座は臀部を受ける臀座と該臀座から後方に延出して背荷物を受ける荷受け座とを有し、前記サイドフレームの上部に背もたれを設けるとともに、該背もたれは前記荷受け座の外郭に略対応する如く後方に湾曲させ、該湾曲部により前記荷受け座の上方に空間を設ける構成にしたものである。
請求項２に係る発明は、前記座を、細長い資材を格子状又は井桁状に組んで形成したものである。
請求項３に係る発明は、前記背もたれの外側にフックを設けたものである。
【発明の効果】
【０００６】
本発明の請求項１に係る発明は、荷物を背負った状態で椅子に腰掛けると、背部の荷物の下面が荷受け座に当接するとともに、背もたれが前記荷物上部の後ろ半周部を包囲することになり、前記荷物は椅子に安定して支持されることになる。また、着座者は臀座部によって安定した姿勢で支持されることになる。
また、座が細長い資材を格子状又は井桁状に組んで形成されているので、摩擦力が増大するとともに、スキューバダイビング用機材等の荷物及び着座者の衣類が濡れていても、これらから流下する水滴が座部を円滑に通過し、荷物及び着座者が座面上で滑ることがなくなる。また、背もたれの外側にフックを設けたので、該フックに小物品を掛けることができる。
【発明を実施するための最良の形態】
【０００７】
以下本発明の実施例を図面に基づいて説明する。図において、図１は本発明の実施例を示す斜視図、図２は使用状態を示す側面図である。
【０００８】
図１において、１はアルミ等の金属材により形成した荷物受け付き椅子（以下「椅子という」である。該椅子１は、左右一対のサイドフレーム２，２、後脚５、座１０、及び背もたれ１５を主要部品として形成される。
【０００９】
前記サイドフレーム２，２は左右に離間配置して下端部をクロスバー３により、上部を背もたれ１５により連結する。前記後脚５は、たて桟６，６、横桟７，７により長方形状に枠組みし、たて桟６，６の上端部を前記サイドフレーム２，２の上下中間部に第１連結ピンＰ１、Ｐ１を介して前後回動可能に連結し、拡開した際、つまり後方に回動させた際には、前記サイドフレーム２，２を上側が後傾斜する如く傾斜させて起立支持する。
【００１０】
前記座１０は、細長い平鋼板材を井桁状に枠組し、前部に長方形状の臀座１１を後部に半円形状の荷受け座１２を一体に有し、前部側で前記サイドフレーム２，２の上下中間部に第２連結ピンＰ２、Ｐ２を介して水平軸心を中心として回動可能に連結し、水平にした際には、その後部が前述した後脚５の上横桟７ａに当接して水平に保持されるようになっている。
【００１１】
前記背もたれ１５は、後方に向けて円弧状に形成し、その左右両端をサイドフレーム２，２の上端に第３連結ピンＰ３、Ｐ３を介して水平軸心を中心として回動可能に連結する。前記背もたれ１５は、細長い平鋼板材により形成され、後方に向けて平面視コ字状に屈曲する外背板１６と該外背板１６の内側で後方に向けて平面視円弧状に湾曲する内背板（湾曲部）１７とを一体的に連結してなり、内背板１７は前記荷受け座１２の上方で対面させ、該内背板１７により前記荷受け座１２の上方に空間（ア）を発生される。
【００１２】
前記外背板１６の左右両側外面に、上向きＬ形に屈曲した小物掛け用のフック１８，１８を取り付ける。該フック１８，１８は、背もたれ１５を前部側に回動させて折り畳んだ際にサイドフレーム２，２に嵌合（係止）するようになっている。
【００１３】
次ぎに、上記実施例の使用態様について説明する。図２に示すように、例えばエアタンク、マスク等のスキューバダイビング用機材（荷物）２０を着用した（背負った）状態で椅子１に腰掛けると、背部のスキューバダイビング用機材２０のエアタンク２１が臀座１１の後方に位置する荷受け座１２に当接する。また、前記エアタンク２１の上部が背もたれ１５に嵌合し、該背もたれ１５によって前記エアタンク２１上部の後側半周部が包囲されることになる。
【００１４】
また、着座者（着用者）２２は前記スキューバダイビング用機材２０に左右されることなく、臀座１１部に安定した姿勢で、かつスキューバダイビング用機材２０の負荷から解消された状態で腰掛けることができる。また、スキューバダイビング用機材２０が安定して椅子１２に支持されるので、着座者２２は前記スキューバダイビング用機材２０を外して休息できるとともに、これを装着する際には椅子１に腰掛けた状態で装着することができるので、前記スキューバダイビング用機材２０を小労力で装着することができる。なお、本発明は、農作業用噴霧器あるいは害虫駆除用ポンプを背負う人にも適用できる。
【図面の簡単な説明】
【００１５】
【図１】本発明の実施例を示す斜視図である。
【図２】使用状態を示す側面図である。
【符号の説明】
【００１６】
１    荷物受け付き椅子
２    サイドフレーム
３    クロスバー
５    後脚
６    たて桟
７    横桟
１０    座
１１    臀座
１２    荷受け座
１５    背もたれ
１６    外背板
１７    内背板（湾曲部）
１８    フック
２０    スキューバダイビング用機材
２１    エアタンク
２２    着座者
【図１】
2007111340.tif 000003
【図２】
2007111340.tif 000004